(57)【要約】【課題】  座ったままの姿勢を維持したまま座面部及び背もたれ部を簡単な手動操作で前後方向に傾動できるリクライニング機構を有するとともに、使用者の身長に合わせて座面の高さを調節できる高さ調節機構を備えた介護用シャワーチェアの提供。【解決手段】  前後端部に前輪及び後輪を有する脚体と、該脚体に固着された座面受けと、該座面受けに固定されたハンドルパイプ及び該ハンドルパイプと一体のシートパイプとで本体が構成された介護用シャワーチェアにおいて、座面受けに設けた座面高さ調節機構によりシートパイプの高さを調節可能となし、チェア本体の背面部に設けたバネシリンダーからなるリクライニング機構によりシートパイプ及びハンドルパイプが前後方向に傾動可能となすとともにロックピン機構にて当該傾動角度に固定できる仕組みとなしたことを特徴とする。【選択図】      図１
2015202374.tif 000002
【特許請求の範囲】
【請求項１】
前後端部に前輪及び後輪を有する左右一対の脚フレームを、その両端部に横設した連結パイプを介して一体に構成した脚体と、該脚体の脚フレームに固着された座面受けと、該座面受けの上面に固定されたハンドルパイプ及び該ハンドルパイプと一体のシートパイプとで本体が構成され、前記シートパイプの上面に取着された座面シートと、ハンドルパイプとシートパイプとの間に跳ね上げ式手摺を備えた介護用シャワーチェアであって、前記脚体の脚フレームに固着される座面受けに係合ピン方式の座面高さ調節機構と、チェア本体の背面部にリクライニング機構を備え、前記座面高さ調節機構は脚体の脚フレームに下端部を固着された側面に座面高さ調節用係合溝を有する左右一対のアジャストガイド板と、該アジャストガイド板より長尺でアジャストガイド板側面に上下に摺動可能に相重ねられた左右一対のリクライニング受け部材とから構成され、前記リクライニング受け部材の側面に前記アジャストガイド板を貫通して当該アジャストガイド板に設けた座面高さ調節用係合溝孔に係合する係合ピンねじにより座面高さを調節する機構となし、該座面高さ調節機構を備えた座面受けを介して前記シートパイプが支持された構成となし、前記リクライニング機構は、前記リクライニング受け部材の一端部と前記シートパイプとの枢着部を支点にシートパイプ及びハンドルパイプが前後方向に傾動可能に枢着され、前記リクライニング受け部材の後端部に横設した連結部材と前記ハンドルパイプとの間に上下方向に配設した少なくとも１台のリクライニング用バネシリンダーを備え、該バネシリンダーは、ハンドルパイプとシートパイプを所望の傾動角度に固定できる手動式のロックピン機構を備え、前記バネシリンダーの前後進動作により前記ハンドルパイプとシートパイプが前後方向に傾動しかつロックピン機構にて当該傾動角度に固定できる仕組みとなしていることを特徴とする介護用シャワーチェア。
【発明の詳細な説明】
【技術分野】
【０００１】
本発明は、座った姿勢のままで体を洗浄又は入浴できる浴室用の介護用シャワーチェアに係り、より詳しくは座った姿勢を維持した状態で座面部及び背もたれ部を前後方向に傾動させることができるとともに任意の傾動角度に固定できるリクライニング機構を備えた移動式の介護用シャワーチェアに関する。
【背景技術】
【０００２】
介護用シャワーチェアは、主に身体の不自由な方（介護を必要とする身体障害者等）や高齢者のために開発されたもので、基本構造は通常の椅子と類似し、座った姿勢のままで身体を洗浄又は入浴できるように作られている。従来の介護用シャワーチェアは、パイプ椅子型のものが大半で、その構造も単に座面部に脚が取付けられ、ハンドルパイプに固定式あるいははね上げ式の手摺や肘掛け等が取付けられたものが一般的である。例えば、特許文献１には、シートパイプに４本の脚が取付けられ、シートパイプとハンドルパイプとの間に固定式あるいは開閉式の手摺が取付けられ、シートパイプに座面シートが固着された構造のもので、座面シートには局部を洗い易くするための溝が設けられた固定式椅子型のものや、座面シート部をターンテーブル方式として３６０度回動自在となすとともに任意の向きに自由に固定できる機能を備えた回転式椅子型のものが開示されている。又、特許文献２には、座面の前後から局部を洗えるように座面が中央で左右に分割された二分割構造にするとともに、座ったままの姿勢のままで背中が洗えるように背もたれをハンドルパイプに軸ピンにて前後方向に回動可能に取着し、さらに前脚及び後脚にキャスターを取付けて移動式となした介護用シャワーチェアが開示されている。
【先行技術文献】
【特許文献】
【０００３】
【特許文献１】実開平６−３４６３０号公報
【特許文献２】特開平７−１５５３５９号公報
【発明の概要】
【発明が解決しようとする課題】
【０００４】
しかるに、上記した従来の介護用シャワーチェアには、下記に示す課題がある。
即ち、特許文献１に記載されている介護用シャワーチェアは、椅子への乗り降りが容易でかつ姿勢よく体を固定でき、しかも座ったままで体の向きを自由に変えられる等の特徴を有するが、座った姿勢を維持したまま座面部及び背もたれ部を前後方向に傾動させることができないため、例えば下半身や両足等を洗う際、介護者が体を屈めたり腰を低くする等の動作を必要とする上、座面の高さを変更できないため使用者の身長の変化にも対応できないことなども加わって、介護者の受ける負担や疲労度が大きいという難点がある。又、特許文献２に記載されている介護用シャワーチェアは、座った姿勢のままで座面の前後から局部を容易に洗うことができる上、背もたれ自体を後方へ倒すことにより背中も容易に洗うことができるという特徴を有するが、この介護用シャワーチェアも前記特許文献１に記載のものと同様、座ったままの姿勢を維持した状態で座面部及び背もたれ部を前後方向に傾動させることができないため、座った姿勢のままで体全体を洗わなければならず、介護者の受ける負担や疲労度が大きいという難点がある。又、このシャワーチェアも前記のものと同様、座面の高さを変更できないため身長の変化にも対応できないという難点がある。
【０００５】
本発明は、前記した従来の介護用シャワーチェアの難点を解消するために改良を施し、座ったままの姿勢を維持したまま座面部及び背もたれ部を簡単な手動操作で前後方向に傾動できる機構を有するとともに、使用者の身長に合わせて座面の高さを調節できる手動式の高さ調節機構を備えた介護用シャワーチェアを提供しようとするものである。
【課題を解決するための手段】
【０００６】
本発明に係る介護用シャワーチェアは、前後端部に前輪及び後輪を有する左右一対の脚フレームを、その両端部に横設した連結パイプを介して一体に構成した脚体と、該脚体の脚フレームに固着された座面受けと、該座面受けの上面に固定されたハンドルパイプ及び該ハンドルパイプと一体のシートパイプとで本体が構成され、前記シートパイプの上面に取着された座面シートと、ハンドルパイプとシートパイプとの間に跳ね上げ式手摺を備えた介護用シャワーチェアであって、前記脚体の脚フレームに固着される座面受けに係合ピン方式の座面高さ調節機構と、チェア本体の背面部にリクライニング機構を備え、前記座面高さ調節機構は脚体の脚フレームに下端部を固着された側面に座面高さ調節用係合溝を有する左右一対のアジャストガイド板と、該アジャストガイド板より長尺でアジャストガイド板側面に上下に摺動可能に相重ねられた左右一対のリクライニング受け部材とから構成され、前記リクライニング受け部材の側面に前記アジャストガイド板を貫通して当該アジャストガイド板に設けた座面高さ調節用係合溝孔に係合する係合ピンねじにより座面高さを調節する機構となし、該座面高さ調節機構を備えた座面受けを介して前記シートパイプが支持された構成となし、前記リクライニング機構は、前記リクライニング受け部材の一端部と前記シートパイプとの枢着部を支点にシートパイプ及びハンドルパイプが前後方向に傾動可能に枢着され、前記リクライニング受け部材の後端部に横設した連結部材と前記ハンドルパイプとの間に上下方向に配設した少なくとも１台のリクライニング用バネシリンダーを備え、該バネシリンダーは、ハンドルパイプとシートパイプを所望の傾動角度に固定できる手動式のロックピン機構を備え、前記バネシリンダーの前後進動作により前記ハンドルパイプとシートパイプが前後方向に傾動しかつロックピン機構にて当該傾動角度に固定できる仕組みとなしていることを特徴とするものである。
【発明の効果】
【０００７】
上記した本発明の介護用シャワーチェアは、脚体に座面高さ調節機構付き座面受けを介してハンドルパイプと一体のシートパイプを簡単な手動操作で前後方向に傾動させかつ当該傾動角度に固定できるリクライニング機構を備えているので、座ったままの姿勢を維持したまま座面部及び背もたれ部を傾動、固定した状態で体全体を洗うことが可能となり、介護者の受ける負担や疲労度を著しく軽減できる。又、リクライニング時の座位姿勢も腹部に圧迫感や苦痛感を全く感じることがなく快適な姿勢をとることができる。さらに、座面高さ調節機構により座面の高さを簡単に調節できるので、使用者の身長の変化にも容易に対応できる。
【図面の簡単な説明】
【０００８】
【図１】本発明に係る介護用シャワーチェアの一実施例を示す側面図である。
【図２】同上の介護用シャワーチェアの斜視図である。
【図３】同上の介護用シャワーチェアのリクライニング機構部を拡大して示す断面図である。
【図４】同上の介護用シャワーチェアのリクライニング状態を示す側面図である。
【発明を実施するための形態】
【０００９】
図１〜図４において、１は脚体、２は座面受け、３はシートパイプ、４はハンドルパイプ、５はリクライニング機構、６は跳ね上げ式手摺をそれぞれ示す。
【００１０】
脚体１は、前後にそれぞれ前輪１−４、後輪１−５を有する左右一対の脚フレーム１−１と、該脚フレーム１−１間の前部に横設した連結ロッド１−２及び後部の後輪１−５間に横設した後輪軸兼用の連結ロッド１−３とで構成されている。なお、前輪１−４は公知のロック機構（図示せず）が組込まれたキャスター１−４ｋに取付けられている。
【００１１】
座面受け２は、前記脚体１に固着されており、係合ピン方式の座面高さ調節機構を有している。この座面高さ調節機構付き座面受け２は、左右一対の脚フレーム１−１に下端部の水平部分をねじ等で固着された側面に座面高さ調節用係合溝孔２−１ａを有する左右一対のアジャストガイド板２−１と、該アジャストガイド板２−１より前後方向に長尺でアジャストガイド板２−１の側面に上下に摺動可能に相重ねられた左右一対のリクライニング受け部材２−２とから構成され、前記アジャストガイド板２−１の座面高さ調節用係合溝孔２−１ａに係合する係合ピンねじ２−３をリクライニング受け部材２−２の側面に設けている。前記座面高さ調節用係合溝孔２−１ａは、高さ方向に複数個設けられた凹部からなり、ここでは前後２列設けられている。この前後２列の座面高さ調節用係合溝２−１ａに前記係合ピンねじ２−３をリクライニング受け部材２−２を貫通してアジャストガイド板２−１の高さ調節用係合溝孔２−１ａに係合させて締付けることによりリクライニング受け部材２−２を所望の高さ位置に固定する仕組みとなしている。２−４は左右のアジャストガイド板２−１間に横設した連結ロッドである。
【００１２】
前記座面受け２に支持固定されるシートパイプ３はハンドルパイプ４と一体となっており、シートパイプ３の部分が前記座面受け２のリクライニング受け部材２−２に補強部材３−１を介して軸ピン３−１ａにて前後方向に回動可動に枢着され、該シートパイプ３が前記軸ピン３−１ａを支点に前後方向に傾動可能となしている。補強部材３−１はシートパイプ３の内側面にねじ等で固着されている。３−２は座面シートであり、シートパイプ３にねじで固定されている。
【００１３】
チェア本体の背面部に設けられるリクライニング機構５は、前記リクライニング受け部材２−２の後端部に横設した連結部材５−３と前記ハンドルパイプ４間に手摺取付部材６−１を介して横設した連結部材５−４との間に上下方向に配設したリクライニング用バネシリンダー５−１と、シートパイプ３とハンドルパイプ４を所望の傾動角度に固定する手動式のロックピン機構５−２とから構成されている。リクライニング用バネシリンダー５−１は、外筒５−１ａと内筒（伸縮筒体）５−１ｂとからなる二重管構造のシリンダーからなり、外筒５−１ａに収納されたリクライニング用バネ５−１ｃに内筒５−１ｂがスライド可能に支持されて前後進動する仕組みなしたもので、このリクライニング用バネシリンダー５−１に組込まれた手動式のロックピン機構５−２は、ロックピンガイド５−２ａにバネ５−２ｂにて外方への押圧力を付与されたロックピン５−２ｃがリクライニング用バネシリンダー５−１の内筒５−１ｂに収納固定されるとともに、リクライニング用バネシリンダー５の外筒５−１ａの側面に軸方向に所望の間隔に形成した複数個のロックピン孔５−２ｄに前記ロックピン５−２ｃが出没自在に配設され、リクライニング用バネシリンダー５の外筒５−１ａにスライド可能に外嵌固定されたロック用ブラケット５−２ｅに軸ピン５−２ｆにて上下方向に回動可能に取着されたロックピン押圧用突起５−２ｈ付きリクライニングレバー５−２ｇにてシートパイプ３及びハンドルパイプ４がリクライニングされる機構となっている。なお、リクライニング用バネシリンダー５−１は、内筒（伸縮筒体）５−１ｂが無段階に前進動する方式であるため、本発明ではロックピン機構５−２により内筒（伸縮筒体）５−１ｂを間欠的に動作させる方式を採用した。図中、５−５、５−６はシリンダーガイドである。
【００１４】
はね上げ式手摺６は、パイプの先端部を屈曲させてＬ形に形成したものを用い、付け根部はハンドルパイプ４に取着した手摺取付部材６−１に軸ピン６−１ａにて上下方向に回動可能に枢着され、該手摺６の他端部はシートパイプ３の両サイドに軸ピン６−２ａにてほぼ上向きに突設した接続部材６−２に該手摺６の下端を着脱可能に嵌合することによって接続され、かつその離脱を防止するためのロック機構として、手摺６側にＬ形のロックレバー６−３を軸ピン６−３ａにて左右方向に回動可能に枢着し、該ロックレバーを接続部材６−２の真下に位置させることによってロックされ、該レバーを横に回動させることによってロックが解除される仕組みとなっている。なお、このはね上げ式手摺は公知である。
【００１５】
上記構造の介護用シャワーチェアにおいて、非リクライニング状態にあっては、図１に示すようにハンドルパイプ４とシートパイプ３がリクライニング用バネシリンダー５−１にて普通の背もたれ角度に固定され、かつ座面を構成するシートパイプ３はほぼ水平状態に保持されている。この状態でリクライニングさせる場合は、介護者がロックピン押圧用突起５−２ｈ付きリクライニングレバー５−２ｇを上へ引き上げてロックピン押圧用突起５−２ｈにてロックピン５−２ｃを内筒５−１ｂ内に押し込んでロックを解除し、ハンドルパイプ４とシートパイプ３を軸ピン３−１ａを支点に後方へ傾動させるとともに、所定の傾動位置でロックピン５−２ｃをロックピン孔５−２ｄに嵌入させてロックする。この操作により、ハンドルパイプ４とシートパイプ３は図４に示すように所定の傾動角度にリクライニングされた状態となる。
【００１６】
リクライニング動作時においては、座ったままの姿勢を維持したままハンドルパイプ４とシートパイプ３が前後方向に傾動するので、搭乗している使用者の座位姿勢が固定されて前ずれが生じないばかりでなく、リクライニング時の座位姿勢も腹部に圧迫感や苦痛感を全く感じることがなく快適な姿勢をとることができる。又、座ったままの姿勢を維持した状態で体全体を洗うことができるので、介護者の受ける負担や疲労度も著しく軽減される。
【００１７】
なお、シートパイプ３とハンドルパイプ４の傾斜角度を変える場合には、前記と同じ操作、即ち、ロックピン押圧用突起５−２ｈ付きリクライニングレバー５−２ｇを上へ引き上げてロックを解除し、シートパイプ３とハンドルパイプ４を所定の角度に傾動させて所定の傾動位置でロックピン５−２ｃをロックピン孔５−２ｄに嵌入させてロックする。
【００１８】
又、リクライニング状態からシートパイプ３とハンドルパイプ４を元の非リクライニング状態に戻す際も前記と同様、リクライニングレバー５−２ｇを上へ引き上げてロックピン押圧用突起５−２ｈにてロックピン５−２ｃを内筒５−１ｂ内に押し込んでロックを解除すればよい。ロックが解除されると、リクライニング用バネシリンダー５−１の作用により内筒（伸縮筒体）５−１ｂが前進動することによりハンドルパイプ４と一体のシートパイプ３が軸ピン３−１ａを支点に前方へ傾動し、ロック機構により元の非リクライニング状態に保持される。
【００１９】
なお、上記構造の介護用シャワーチェアにおいて、座面の高さを変える場合には、前記したようにリクライニング受け部材２−２に取付けている係合ピンねじ２−３を緩めてシートパイプ３とハンドルパイプ４を昇降させ、アジャストガイド板２−１の高さ調節用係合溝孔２−１ａを選択して係合ピンねじ２−３を係合させて締付ければよい。
【符号の説明】
【００２０】
１  脚体
１−１  脚フレーム
１−２、１−３  連結ロッド
１−４  前輪
１−４ｋ  ロック機構付きキャスター
１−５  後輪
２  座面受け
２−１  アジャストガイド板
２−１ａ  座面高さ調節用係合溝孔
２−２  リクライニング受け部材
２−３  係合ピンねじ
２−４  連結ロッド
３  シートパイプ
３−１  補強部材
３−１ａ  軸ピン
３−２  座面シート
４  ハンドルパイプ
５  リクライニング機構
５−１  リクライニング用バネシリンダー
５−１ａ  外筒
５−１ｂ  内筒（伸縮筒体）
５−１ｃ  リクライニング用バネ
５−２  ロックピン機構
５−２ａ  ロックピンガイド
５−２ｂ  バネ
５−２ｃ  ロックピン
５−２ｄ  ロックピン孔
５−２ｅ  ロック用ブラケット
５−２ｆ  軸ピン
５−２ｇ  リクライニングレバー
５−２ｈ  ロックピン押圧用突起
５−３、５−４  連結部材
５−５、５−６  シリンダーガイド
６  跳ね上げ式手摺
６−１  手摺取付部材
６−１ａ  軸ピン
６−２  接続部材
６−２ａ  軸ピン
６−３    ロックレバー
６−３ａ  軸ピン
【図１】
2015202374.tif 000003
【図２】
2015202374.tif 000004
【図３】
2015202374.tif 000005
【図４】
2015202374.tif 000006
【手続補正書】
【提出日】平成26年5月12日(2014.5.12)
【手続補正１】
【補正対象書類名】図面
【補正対象項目名】全図
【補正方法】変更
【補正の内容】
【図１】
2015202374.tif 000007
【図２】
2015202374.tif 000008
【図３】
2015202374.tif 000009
【図４】
2015202374.tif 000010